(57)【要約】【課題】装飾カバーと調理器本体との隙間から内部に浸入した水を確実に排水できる調理器を提供することを課題とする。【解決手段】内鍋収容部１９を有する調理器本体１１と、調理器本体１１に設けた壁部２９に軸支され、内鍋１５の上端開口を閉蓋する蓋体１２と、内鍋収容部１９から連続した調理器本体１１の上部を覆う装飾カバー８０と、装飾カバー８０の下方に設けられ、調理器本体１１の外側または内側に向かって下向きに傾斜する傾斜面３３と、傾斜面３３と連通する回収溝４０と、回収溝４０と連通し、調理器本体１１の上部よりも下方であって、調理器本体１１の内側面まで延びる水抜き通路５１と、水抜き通路５１の下方に設けられた底孔２２とを備えた。【選択図】図３
2014221152.tif 000002
【特許請求の範囲】
【請求項１】
内鍋を収容する内鍋収容部を有する調理器本体と、
前記調理器本体に設けた壁部に軸支され、前記内鍋の上端開口を閉蓋する蓋体と、
前記内鍋収容部から連続した前記調理器本体の上部を覆う装飾カバーと、
前記装飾カバーの下方に設けられ、前記調理器本体の外側または内側に向かって下向きに傾斜する傾斜面と、
前記傾斜面と連通する回収溝と、
前記回収溝と連通し、前記調理器本体の上部よりも下方であって、前記調理器本体の内側面まで延びる水抜き通路と、
前記調理器本体を構成する底体の、前記水抜き通路の下方に設けられた底孔と、
を備えた、調理器。
【請求項２】
前記傾斜面は、前記調理器本体の内側に向かって下向きに傾斜し、
前記水抜き通路は、前記調理器本体の外側に向かって下向きに傾斜した、
請求項１に記載の調理器。
【請求項３】
前記回収溝は、前記傾斜面の下端と連通し、前記内鍋収容部の開口縁に沿って設けられた開口側回収溝を含む、請求項２に記載の調理器。
【請求項４】
前記回収溝は、前記壁部に沿って設けられた壁部側回収溝を含む、請求項２または３に記載の調理器。
【請求項５】
前記回収溝の底面は、前記回収溝の長手方向中央部から端部に向けて下向きに傾斜する、請求項２から４のいずれかに記載の調理器。
【請求項６】
前記水抜き通路は、前記装飾カバーを前記調理器本体に固定する爪部を挿入する取付け孔と連通し、又は兼用する、請求項１から５のいずれかに記載の調理器。
【請求項７】
前記水抜き通路と前記底孔との間に設けられ、前記水抜き通路と連通する案内溝を設けた、請求項１から６のいずれかに記載の調理器。
【請求項８】
前記傾斜面と前記回収溝と前記水抜き通路とが、前記調理器本体の上部を構成する肩体の上壁に形成され、
前記案内溝は前記肩体の側壁に形成された、請求項１から７のいずれかに記載の調理器。
【発明の詳細な説明】
【技術分野】
【０００１】
本発明は、装飾カバーを有する調理器に関する。
【背景技術】
【０００２】
特許文献１には、炊飯器本体と、炊飯器本体の上端開口縁を覆う装飾カバーとの間に上枠を設けた炊飯器が記載されている。この炊飯器の上枠には、装飾カバーの嵌合爪が挿入される挿入孔と、挿入孔の周りに形成され、嵌合爪を囲うように外向きの開口部を有する箱状のカバー部材とが形成されている。
【０００３】
この炊飯器では、装飾カバーと上枠上面の隙間に浸入した水は、更に挿入孔から炊飯器本体の内部に浸入する。そして、炊飯器本体の内部に浸入した水は、炊飯器本体とカバー部材との隙間に集められ、炊飯器本体の内壁を伝って流れ落ち、炊飯器本体の水抜き孔から外部に排出される。
【０００４】
しかし、装飾カバーと上枠上面との隙間から浸入した水のうち、挿入孔付近の水は挿入孔から上記経路で外部に排出されるが、挿入孔から離れた箇所の水は、装飾カバーと上枠上面との隙間に溜まったままになってしまう。
【先行技術文献】
【特許文献】
【０００５】
【特許文献１】特開２００５−１４３５３６号公報
【発明の概要】
【発明が解決しようとする課題】
【０００６】
本発明は、装飾カバーと調理器本体との隙間に浸入した水を確実に排水できる調理器を提供する。
【課題を解決するための手段】
【０００７】
内鍋を収容する内鍋収容部を有する調理器本体と、
前記調理器本体に設けた壁部に軸支され、前記内鍋の上端開口を閉蓋する蓋体と、
前記内鍋収容部から連続した前記調理器本体の上部を覆う装飾カバーと、
前記装飾カバーの下方に設けられ、前記調理器本体の外側または内側に向かって下向きに傾斜する傾斜面と、
前記傾斜面と連通する回収溝と、
前記回収溝と連通し、前記調理器本体の上部よりも下方であって、前記調理器本体の内側面まで延びる水抜き通路と、
前記調理器本体を構成する底体の、前記水抜き通路の下方に設けられた底孔と、
を備えた。
【０００８】
上記構成により、装飾カバーと調理器本体との隙間に浸入した水は、傾斜面から回収溝を介して水抜き通路に到達する。そして、更に、水抜き通路から底孔に到達し、この底孔から調理器の外部に確実に排水される。
【０００９】
前記傾斜面は、前記調理器本体の内側に向かって下向きに傾斜し、
前記水抜き通路は、前記調理器本体の外側に向かって下向きに傾斜することが好ましい。
【００１０】
上記構成により、装飾カバーと調理器本体との隙間に浸入した水は、傾斜面に沿って調理器本体の内側に向かって下向きに移動し、回収溝を介して水抜き通路に到達する。そして、更に、水抜き通路に沿って調理器本体の外側に向かって下向きに移動して底孔に到達し、この底孔から調理器の外部に確実に排水される。
【００１１】
前記回収溝は、前記傾斜面の下端と連通し、前記内鍋収容部の開口縁に沿って設けられた開口側回収溝を含むことが好ましい。
【００１２】
上記構成により、１つの回収溝で傾斜面に沿って流れてきた水を回収できるため、構造を簡素にできる。
【００１３】
前記回収溝は、前記壁部に沿って設けられた壁部側回収溝を含むことが好ましい。
【００１４】
上記構成により、蓋の内側に結露した水が滴下して装飾カバーと調理器本体との隙間に浸入した場合でも、確実に水抜き通路まで伝達できる。
【００１５】
前記回収溝の底面は、前記回収溝の長手方向中央部から端部に向けて下向きに傾斜することが好ましい。
【００１６】
上記構成により、傾斜面から回収溝に流れ込んだ水が、底面に沿って回収溝の端部まで流れることができる。
【００１７】
前記水抜き通路は、前記装飾カバーを前記調理器本体に固定する爪部を挿入する取付け孔と連通し、又は兼用することが好ましい。
【００１８】
上記構成により、装飾カバーと調理器本体との隙間に浸入した水が、爪部に沿って移動し、取付け孔を介して水抜き通路に到達する。そして、水抜き通路から底孔に到達し、この底孔から調理器の外部に確実に排水される。
【００１９】
前記水抜き通路と前記底孔との間に設けられ、前記水抜き通路と連通する案内溝を設けることが好ましい。
これにより、水抜き通路から流れ出た水が案内溝に案内されて、確実に底孔に到達できる。
【００２０】
前記傾斜面と前記回収溝と前記水抜き通路とが、前記調理器本体の上部を構成する肩体の上壁に形成され、
前記案内溝は前記肩体の側壁に形成されることが好ましい。
【００２１】
傾斜面、回収溝、水抜き通路、および案内溝を肩体の一部材に設けることで、排水経路をコンパクトにできる。
【発明の効果】
【００２２】
本発明によれば、装飾カバーと調理器本体との隙間に浸入した水を確実に排水できる。
【図面の簡単な説明】
【００２３】
【図１】本発明の実施形態に係る炊飯器において蓋体が開放した状態を示す斜視図。
【図２】図１の炊飯器本体の分解斜視図。
【図３】図２の装飾カバー、肩体および胴部の上方分解斜視図。
【図４】図２に示す肩体の手前側の平面図。
【図５】炊飯器の図３のV-V線断面図。
【図６】回収溝と水抜き通路との連通状態を示す部分拡大図。
【図７】炊飯器の図３のVII-VII線断面図。
【図８】図２に示す肩体の奥側の平面図。
【図９】炊飯器の図３のIX-IX線断面図。
【発明を実施するための形態】
【００２４】
以下、本発明の実施形態を、炊飯器を例にして図面に従って説明する。
【００２５】
図１に示すように、炊飯器（調理器）１０は、炊飯器本体（調理器本体）１１と、後述するヒンジ軸（図示せず）を中心に回動し、炊飯器本体１１に開閉可能に取り付けられた蓋体１２とを備えている。
【００２６】
図２を併せて参照すると、炊飯器本体１１は、内鍋１５と、内鍋１５を収容する内鍋収容部１９を有する胴部１８と、胴部１８の底を閉じる底体１６と、胴部１８の上部に設けられる肩体２４とを備えている。肩体２４の上方には、肩体２４の上面を被覆する装飾カバー８０と、内鍋１５が載置される鍋載置部材８８とが配設される。
【００２７】
内鍋１５は内部に、例えば、飯米および水がセットされる公知の鍋である。
【００２８】
図２に示すように、胴部１８の略中央には、内鍋１５を上端を除いて収容できるくぼみである内鍋収容部１９が設けられている。また、胴部１８の奥側上面には、上方に向かって延びる一対のヒンジ装着部２０が設けられている。以下、炊飯器１０のヒンジ装着部２０側（図２中、矢印Ａ方向）を奥側、ヒンジ装着部２０と反対側を手前側という。
【００２９】
装飾カバー８０は、第１カバー８１と第２カバー８５とを備えている。第１カバー８１は、肩体２４の手前側の外周縁３１と鍋載置部材８８との間で、後述する手前側傾斜面３４を覆う。第２カバー８５は、肩体２４の奥側の外周縁３１と鍋載置部材８８との間で、後述する奥側傾斜面３９を覆う。
【００３０】
第１カバー８１は、平面視が略弓形の板状である。第１カバー８１は、手前側縁部から下方に向かって延びる複数の第１爪部８２と、肩体２４の補強板収容部２６の外形に一致するように切り抜かれた凹部８３とを有している。第１カバー８１は、第１爪部８２が後述する取付け孔２８に挿入されることで、炊飯器本体１１に固定される。
【００３１】
第２カバー８５は、手前側縁部が円弧状に形成され、奥側中央部は肩体２４の壁部２９が挿通するように切り欠かれた板状である。第２カバー８５は、外側縁部から下方に向かって延びる複数の第２爪部８６を有している。第２カバー８５は、第２爪部８６が後述する取付け孔２８に挿入されることで、炊飯器本体１１に固定される。
【００３２】
鍋載置部材８８はリング状であり、装飾カバー８０の上方に配設される。鍋載置部材８８は、手前側に形成され、鍋載置部材８８を肩体２４に固定した状態で補強板収容部２６を被覆する支持部用カバー部８９を備えている。
【００３３】
図３を参照すると、装飾カバー８０の下方に設けられる肩体２４は円環状であり、開口２５が形成された上壁３０と、上壁３０の外周部から下方に垂下する側壁６５とを備えている。上壁３０の上面には、傾斜面３３と、回収溝４０と、水抜き通路５１とが形成されている。側壁６５には、案内溝６７が形成されている。また、底体１６には底孔２２（図７参照）が形成されている。これら、傾斜面３３、回収溝４０、水抜き通路５１、案内溝６７および底孔２２が、排水経路を構成している。
【００３４】
後に詳述するように、肩体２４と装飾カバー８０との間から炊飯器本体１１の内部に浸入した水は順に、傾斜面３３、回収溝４０、水抜き通路５１、案内溝６７に沿って移動する。そして、案内溝６７から底孔２２まで導かれた水は、底孔２２から外部に確実に排出される。このように、内部に浸入した水の排水経路の大部分を肩体２４の一部材に設けることで、排水経路をコンパクトにできる。
【００３５】
開口２５は、肩体２４の略中央に形成され、内鍋収容部１９の上縁に一致する。開口２５は、手前側に形成された補強板収容部２６と、上方に延びる平面視円形の周壁２７とから構成されている。補強板収容部２６は、蓋体１２を閉じたときに蓋体１２の爪が係止する金属製の補強板１４（図１参照）を内部に収容している。開口２５の奥側には、肩体２４の上壁３０から上方に立ち上がり、肩体２４の中心線Ｌに直交する壁部２９が形成されている。なお、壁部２９はヒンジ装着部２０と一体的に、蓋体１２を軸支する。
【００３６】
以下、肩体２４の傾斜面３３、回収溝４０、水抜き通路５１、および案内溝６７について、開口２５の手前側と奥側に分けて説明する。
【００３７】
傾斜面３３は、上壁３０の手前側に形成された手前側傾斜面３４と、奥側に形成された奥側傾斜面３９とからなる。手前側傾斜面３４は、上壁３０の手前側の外周縁３１と開口２５との間に形成されている。奥側傾斜面３９については、後述する。
【００３８】
手前側傾斜面３４は具体的には、図４に示すように、中心線Ｌから中心線Ｌと直交する方向に沿って順に位置する、第１傾斜面から第４傾斜面３５（３５ａ，３５ｂ），３６（３６ａ，３６ｂ），３７（３７ａ，３７ｂ），３８（３８ａ，３８ｂ）によって構成されている。これら第１傾斜面から第４傾斜面３５，３６，３７，３８は、肩体２４の外周縁３１から内鍋収容部１９に向かって下向きに傾斜している。
【００３９】
第１傾斜面３５は、中心線Ｌに関して対称に配置された一対の第１傾斜面３５ａ，３５ｂからなり、中心線Ｌと後述する第１水抜き通路５３ａ，５３ｂとの間に形成されている。
【００４０】
第２傾斜面３６は、中心線Ｌに関して対称に配置された一対の第２傾斜面３６ａ，３６ｂからなる。第２傾斜面３６ａ，３６ｂは、第１水抜き通路５３ａ，５３ｂと、後述する第２水抜き通路５４ａ，５４ｂの近傍に中心線Ｌに略平行に設けられた内側リブ７５との間に形成されている。
【００４１】
第３傾斜面３７は、中心線Ｌに関して対称に配置された一対の第３傾斜面３７ａ，３７ｂからなる。第４傾斜面３８は、中心線Ｌに関して対称に配置された一対の第４傾斜面３８ａ，３８ｂからなる。第３傾斜面３７ａ，３７ｂと第４傾斜面３８ａ，３８ｂとは、第２水抜き通路５４ａ，５４ｂと後述する第３水抜き通路５５ａ，５５ｂの間に形成されている。第３傾斜面３７ａ，３７ｂと第４傾斜面３８ａ，３８ｂとは、第２水抜き通路５４ａ，５４ｂと第３水抜き通路５５ａ，５５ｂの間に中心線Ｌと略平行に設けられた外側リブ７６により区切られている。
【００４２】
回収溝４０は、肩体２４の手前側に形成された手前側回収溝（開口側回収溝）４１と、肩体２４の奥側に形成された奥側回収溝（壁部側回収溝）４８とから構成されている。奥側回収溝４８については、後述する。
【００４３】
開口側回収溝４１は、補強板収容部２６の外形に沿って形成されている。これにより、１つの開口側回収溝４１で手前側傾斜面３４に沿って流れてきた水を回収できるため、構造を簡素にできる。開口側回収溝４１は開口側回収溝４１の長手方向中央部（中心線Ｌ）から両端に向かって下方に傾斜する底面４２を有している（図５参照）。開口側回収溝４１は、長手方向中央部から両端に向かって順に位置する、第１回収溝から第３回収溝４４（４４ａ，４４ｂ），４５（４５ａ，４５ｂ），４６（４６ａ，４６ｂ）により構成されている。
【００４４】
第１回収溝４４は、中心線Ｌに関して対称に配置された一対の第１回収溝４４ａ，４４ｂからなる。第１回収溝４４ａ，４４ｂは、第１傾斜面３５ａ，３５ｂの下端と連通し、中心線Ｌから後述する第１水抜き通路５３ａ，５３ｂの開口２５側端部まで線状に延びている。また、第１回収溝４４ａ，４４ｂは、図６に示すように、第１水抜き通路５３ａ，５３ｂの側面の上部に連通している。
【００４５】
第２回収溝４５は、中心線Ｌに関して対称に配置された一対の第２回収溝４５ａ，４５ｂからなる。第２回収溝４５ａ，４５ｂは、第２傾斜面３６ａ，３６ｂの下端と連通し、第１水抜き通路５３ａ，５３ｂの開口２５側端部から第２水抜き通路５４ａ，５４ｂの開口２５側端部まで、開口２５に向かって屈曲して延びている。また、第２回収溝４５ａ，４５ｂは、第２水抜き通路５４ａ，５４ｂの側面の上部に連通している（図６参照）。
【００４６】
第３回収溝４６は、中心線Ｌに関して対称に配置された一対の第３回収溝４６ａ，４６ｂからなる。第３回収溝４６ａ，４６ｂは、第３傾斜面３７ａ，３７ｂおよび第４傾斜面３８ａ，３８ｂの下端と連通し、第２水抜き通路５４ａ，５４ｂの開口２５側端部から第３水抜き通路５５ａ，５５ｂの開口２５側端部まで、外周縁３１に向かって弓状に湾曲して延びている。また、第３回収溝４６ａ，４６ｂは、第３水抜き通路５５ａ，５５ｂの側面の上部に連通している。
【００４７】
水抜き通路５１は、肩体２４の手前側に形成された手前側水抜き通路５２と、奥側に形成された奥側水抜き通路５７とからなる。手前側水抜き通路５２は、中心線Ｌから中心線Ｌと直交する方向に沿って順に位置する、第１水抜き通路から第３水抜き通路５３（５３ａ，５３ｂ），５４（５４ａ，５４ｂ），５５（５５ａ，５５ｂ）により構成されている。また、手前側水抜き通路５２の上方には、外周縁３１に沿って、第１カバー８１の第１爪部８２を挿入する取付け孔２８が形成されている。奥側水抜き通路５７については、後述する。
【００４８】
第１水抜き通路５３は、中心線Ｌに関して対称に配置された一対の第１水抜き通路５３５３ａ，５３ｂからなる。第１水抜き通路５３ａ，５３ｂは、第１傾斜面３５ａ，３５ｂと第２傾斜面３６ａ，３６ｂとの間に設けられ、第１回収溝４４ａ，４４ｂの下端側端部と連通している。
【００４９】
第２水抜き通路５４は、中心線Ｌに関して対称に配置された一対の第２水抜き通路５４５４ａ，５４ｂからなる。第２水抜き通路５４ａ，５４ｂは、第２傾斜面３６ａ，３６ｂと第３傾斜面３７ａ，３７ｂとの間に設けられ、第２回収溝４５ａ，４５ｂの下端側端部と連通している。
【００５０】
第３水抜き通路５５は、中心線Ｌに関して対称に配置された一対の第３水抜き通路５５ａ，５５ｂからなる。第３水抜き通路５５ａ，５５ｂは、第４傾斜面３８ａ，３８ｂの外側に隣接して設けられ、第３回収溝４６ａ，４６ｂの下端側端部と連通している。
【００５１】
これら前側水抜き通路５２の断面形状は同じであるので、代表として図７に示す第２水抜き通路５４について説明する。第２水抜き通路５４は、一端が第２回収溝４５と連通し、肩体２４の内側から外側に向かって下向きに傾斜して、他端は胴部１８の内側面まで延びている。
【００５２】
具体的には、第２水抜き通路５４は、第１ガイド面６０と、第２ガイド面６１と、第３ガイド面６２とからなる。第１ガイド面６０は、第２回収溝４５との連通部の下方に位置し、肩体２４の内側から外側に向かって下向きに傾斜している。第２ガイド面６１は、第１ガイド面６０の下端から鉛直下方に延びている。第３ガイド面６２は、第２ガイド面６１の下端から水平方向に外側に向かって延びている。また、第２水抜き通路５４は、第３ガイド面６２の上方に設けられた取付け孔２８と連通している。
【００５３】
案内溝６７は、図３に示すように、肩体２４の手前側の側壁６５に形成された手前側案内溝６８と、奥側の側壁６５に形成された奥側案内溝７３とからなる。手前側案内溝６８は、第１水抜き通路５３の外側端部と連通する第１案内溝６９（６９ａ，６９ｂ）と、第２水抜き通路５４の外側端部と連通する第２案内溝７０（７０ａ，７０ｂ）と、第３水抜き通路５５の外側端部と連通する第３案内溝７１（７１ａ，７１ｂ）とを包含している。第１案内溝６９、第２案内溝７０および第３案内溝７１はそれぞれ、側壁６５の上端から下端に向かって、胴部１８の内側面に沿って鉛直方向に延びている。第１案内溝６９は、中心線Ｌに関して対称に配置された一対の第１案内溝６９ａ，６９ｂからなる。第２案内溝７０は、中心線Ｌに関して対称に配置された一対の第２案内溝７０ａ，７０ｂからなる。第３案内溝７１は、中心線Ｌに関して対称に配置された一対の第３案内溝７１ａ，７１ｂからなる。奥側案内溝７３については、後述する。
【００５４】
炊飯器本体１１を組み立てた状態では、装飾カバー８０と肩体２４との間の隙間から内部に水が浸入する場合がある。しかし、本実施形態に係る炊飯器１０では、図４に示すように、内部に浸入し第１傾斜面３５ａ，３５ｂに到達した水は、第１傾斜面３５ａ，３５ｂに沿って移動する。そして、第１回収溝４４ａ，４４ｂに集められ、第１回収溝４４ａ，４４ｂに沿って移動し、第１水抜き通路５３ａ，５３ｂに流れ込む。すなわち、第１傾斜面３５ａ，３５ｂと第１回収溝４４ａ，４４ｂと第１水抜き通路５３ａ，５３ｂとが、１つ目の排水経路を構成している。
【００５５】
同様に、外部から第２傾斜面３６ａ，３６ｂに到達した水は、第２傾斜面３６ａ，３６ｂに沿って移動する。そして、第２回収溝４５ａ，４５ｂに集められ、第２回収溝４５ａ，４５ｂに沿って移動し、第２水抜き通路５４ａ，５４ｂに流れ込む。すなわち、第２傾斜面３６ａ，３６ｂと第２回収溝４５ａ，４５ｂと第２水抜き通路５４ａ，５４ｂとが、２つ目の排水経路を構成している。
【００５６】
外部から第３傾斜面３７ａ，３７ｂに到達した水は、第３傾斜面３７ａ，３７ｂに沿って移動する。そして、第３回収溝４６ａ，４６ｂに集められ、第３回収溝４６ａ，４６ｂに沿って移動し、第３水抜き通路５５ａ，５５ｂに流れ込む。外部から第４傾斜面３８ａ，３８ｂに到達した水は、第４傾斜面３８ａ，３８ｂに沿って移動し、第３回収溝４６ａ，４６ｂで第３傾斜面３７ａ，３７ｂから案内される水と合流し、第３水抜き通路５５ａ，５５ｂに流れ込む。すなわち、第３傾斜面３７ａ，３７ｂと第４傾斜面３８ａ，３８ｂと第３回収溝４６ａ，４６ｂと第３水抜き通路５５ａ，５５ｂとが、３つ目の排水経路を構成している。
【００５７】
第１水抜き通路から第３水抜き通路５３，５４，５５を代表して図７に示すように、第２水抜き通路５４に流れ込んだ水は、第１ガイド面６０、第２ガイド面６１、第３ガイド面６２の順に流れ、案内溝６７に沿って胴部１８の内側面を下方に移動する。そして、底孔２２に到達し、底孔２２から炊飯器本体１１の外部に確実に排水される。その他、第１水抜き通路５３および第３水抜き通路５５についても同じである。
【００５８】
一方、水抜き通路５１は、取付け孔２８と連通している。従って、第１カバー８１と肩体２４との隙間から内部に浸入した水は、第１爪部８２に沿って下方に移動し、取付け孔２８を介して水抜き通路５１に到達する。そして、水抜き通路５１に到達した水は、水抜き通路５１から案内溝６７に沿って胴部１８の内側面を下方に移動する。そして、底孔２２に到達し、底孔２２から炊飯器本体１１の外部に確実に排水される。
【００５９】
次に、肩体２４の奥側に設けられた奥側傾斜面３９、奥側回収溝４８、奥側水抜き通路５７、および奥側案内溝７３について説明する。
【００６０】
奥側傾斜面３９は、図８に示すように、中心線Ｌに関して対称に配置された一対の奥側傾斜面３９ａ，３９ｂからなる。奥側傾斜面３９ａ，３９ｂは、肩体２４の奥側の外周縁３１と開口２５との間に形成されている。また、奥側傾斜面３９ａ，３９ｂは、奥側の外周縁３１から奥側回収溝４８に向かって、下向きに傾斜している。奥側傾斜面３９ａ，３９ｂは、中心線Ｌと直交する方向に延びる奥側リブ７７により、複数の領域に区切られている。
【００６１】
奥側回収溝４８は、壁部２９の外形に沿って延び（図９参照）、平面視Ｕ字形状に形成されている。奥側回収溝４８は奥側回収溝４８の長手方向中央部（中心線Ｌ）から両端に向かって下方に傾斜する底面５０を有している。奥側回収溝４８は、両側に中心線Ｌと平行に延びる第４回収溝４９を包含している。第４回収溝４９は、中心線Ｌに関して対称に配置された一対の第４回収溝４９ａ，４９ｂからなる。第４回収溝４９ａ，４９ｂは、奥側傾斜面３９ａ，３９ｂの下端と連通し、第４回収溝４９ａ，４９ｂの底面５０は肩体２４の手前側から奥側（矢印Ａ方向）に向かって下向きに傾斜している。また、第４回収溝４９ａ，４９ｂは、奥側水抜き通路５７の内側端部と連通している。奥側回収溝４８を設けることで、蓋体１２の内側に結露した水が滴下して装飾カバー８０と調理器本体１１との隙間に浸入した場合でも、確実に奥側水抜き通路５７まで伝達できる。
【００６２】
奥側水抜き通路５７は、中心線Ｌに関して対称に配置された一対の奥側水抜き通路５７ａ，５７ｂからなる。奥側水抜き通路５７ａ，５７ｂは、奥側傾斜面３９ａ，３９ｂに隣接して設けられ、第４回収溝４９ａ，４９ｂと連通している。断面形状は、前述した第２水抜き通路５４と同様である。奥側水抜き通路５７ａ，５７ｂの上方には、外周縁３１に沿って、第２カバー８５の第２爪部８６を挿入する取付け孔２８が形成されている。
【００６３】
奥側案内溝７３は、図３に示すように、奥側水抜き通路５７の外側端部と連通している。奥側案内溝７３は、中心線Ｌに関して対称に配置された一対の奥側案内溝７３ａ，７３ｂからなる。奥側案内溝７３ａ，７３ｂは、側壁６５の上端から下端に向かい、胴部１８の内側面に沿って鉛直方向に延びている。
【００６４】
炊飯器本体１１を組み立てた後、奥側の第２カバー８５と肩体２４との間の隙間から内部に浸入した水は、図８に示すように、奥側傾斜面３９ａ，３９ｂから第４回収溝４９ａ，４９ｂに集められる。そして、第４回収溝４９ａ，４９ｂから奥側水抜き通路５７ａ，５７ｂに流れ込み、前述したように、底孔２２から炊飯器本体１１の外部に確実に排水される。
【００６５】
なお、本発明は前記実施形態に限定されず、種々の変形が可能である。
【００６６】
前記実施形態では調理器として炊飯器を例に説明したが、これに限定されない。傾斜面３３に関しては、内部に浸入した水を回収溝４０まで案内する限り、その形状、配置場所および傾斜角度は特に限定されない。前記実施形態では、手前側傾斜面３４は肩体２４の外周縁３１から内鍋収容部１９に向かって下向きに傾斜したが、内鍋収容部１９から外周縁３１に向かって下向きに傾斜する構成を採用してよい。または、内鍋収容部１９と外周縁３１との間で、断面Ｖ字形状に形成される手前側傾斜面３４を採用してもよい。
【００６７】
また、回収溝４０に関しては、回収した水を水抜き通路５１まで案内する限り、その形状および配置場所は特に限定されない。前記実施形態では、回収溝４０は傾斜面３３の下端に連通するように設けたが、傾斜面３３の傾斜方向と交差するように設ける限り、例えば、傾斜面３３の傾斜方向中央に設けてもよい。
【００６８】
水抜き通路５１に関しては、水を肩体２４の外部に排出する限り、その形状および配置場所は特に限定されない。前記実施形態では、水抜き通路５１は取付け孔２８と連通したが、これに代えて、手前側傾斜面３４が内鍋収容部１９から外周縁３１に向かって下向きに傾斜する場合には、水抜き通路５１を取付け孔２８と兼用してもよい。
【００６９】
案内溝６７に関しては、肩体２４から排出された水を胴部１８の内側面に沿って底孔２２まで案内する限り、その形状および配置場所は特に限定されない。前記実施形態では、案内溝６７を肩体２４に形成したが、これに代えて、胴部１８の内側面に形成してもよい。
【符号の説明】
【００７０】
１０  炊飯器（調理器）
１１  炊飯器本体（調理器本体）
１６  底体
１８  胴部
２２  底孔
２４  肩体
３３  傾斜面
４０  回収溝
４１  手前側回収溝（開口側回収溝）
４２  底面
４８  奥側回収溝（壁部側回収溝）
５０  底面
５１  水抜き通路
６５  側壁
６７  案内溝
８０  装飾カバー
【図１】
2014221152.tif 000003
【図２】
2014221152.tif 000004
【図３】
2014221152.tif 000005
【図４】
2014221152.tif 000006
【図５】
2014221152.tif 000007
【図６】
2014221152.tif 000008
【図７】
2014221152.tif 000009
【図８】
2014221152.tif 000010
【図９】
2014221152.tif 000011